(57)【要約】【課題】  汚濁水と凝集剤とを混合する為の動力源を必要とせず、ショートパスが生じることがなく、短時間で汚濁水と凝集剤とを十分に混合させることを目的とする。【解決手段】  汚濁水に凝集剤を添加・混合して汚濁物質を凝集させる凝集剤添加・混合槽と、凝集した汚濁物質を沈降させて分離する汚濁物質分離槽とからなる汚濁水処理装置において、前記凝集剤添加・混合槽が、汚濁水供給口及び凝集剤添加器具及び汚濁水排出口を備えた凝集剤添加槽と、流入した凝集剤添加汚濁水が自然流下する為の傾斜を有していると共に、曲折していることによって乱流を生じさせる構造とした筒状混合槽とから構成されている汚濁水処理装置。【選択図】  図１
2005305271.tif 000002
【特許請求の範囲】
【請求項１】
汚濁水に凝集剤を添加して混合することにより汚濁水中に懸濁している汚濁物質を凝集させる凝集剤添加・混合槽と、凝集した汚濁物質を沈降させて分離する汚濁物質分離槽とから構成されている汚濁水処理装置において、前記凝集剤添加・混合槽が、汚濁水の供給口及び凝集剤添加器及び凝集剤添加汚濁水の排出口を備えた凝集剤添加槽と、該凝集剤添加槽に流入口側が接続し、排出口側が凝集した汚濁物質を沈降させて分離する為の汚濁物質分離槽に接続して、該流入口より流入した凝集剤添加汚濁水が自然流下する為の傾斜を有していると共に、曲折していることによって乱流を生じさせる構造とした筒状混合槽とから構成されていることを特徴とする、汚濁水処理装置。
【請求項２】
筒状混合槽が、筒状体を傾斜しながら曲折させて略螺旋状に形成した螺旋状筒状体である、請求項１に記載の汚濁水処理装置。
【請求項３】
筒状混合槽が、螺旋状筒状体を複数個直列に連結して、その連結部に均一混合槽を形成した、請求項１又は２に記載の汚濁水処理装置。
【請求項４】
螺旋状筒状体を複数個直列に連結する場合に、上流側の螺旋状筒状体を複数列平行に設置し、下流側の螺旋状筒状体を上流側よりも少ない列にて設置した、請求項３に記載の汚濁水処理装置。
【請求項５】
直列に連結した複数個の螺旋状筒状体において、上流側の螺旋状筒状体の断面積よりも下流側の螺旋状筒状体の断面積を大きく形成した、請求項３又は４に記載の汚濁水処理装置。
【請求項６】
筒状混合槽におけるそれぞれの最上流側の螺旋状筒状体の前にはそれぞれ凝集剤添加槽が設置されている、請求項１〜５のいずれかに記載の汚濁水処理装置。
【請求項７】
凝集剤添加・混合槽の凝集剤添加槽の汚濁水供給口に供給される汚濁水が、高さの異なる複数個の汚濁水排出口を備えた汚濁水分配器によって分配されたものである、請求項１〜６のいずれかに記載の汚濁水処理装置。
【請求項８】
汚濁水分配器によって供給される汚濁水排出口の断面積が、その下流側の筒状混合槽の断面積よりも小さく形成した、請求項１〜７のいずれかに記載の汚濁水処理装置。
【請求項９】
汚濁水分配器内の汚濁水の液面の高さによって複数列の凝集剤添加・混合槽に供給する凝集剤の添加量を調節する、請求項１〜８のいずれかに記載の汚濁水処理装置。
【請求項１０】
螺旋状筒状体が、筒状体を傾斜しながら略直角に屈曲させて略四角柱状に形成したものである、請求項１〜９のいずれかに記載の汚濁水処理装置。
【発明の詳細な説明】
【技術分野】
【０００１】
本発明は、汚濁した水に凝集剤を添加し、混合して汚濁物質を凝集させて、これを沈殿・分離することにより浄化する汚濁水処理装置に関するものである。
更に詳しくは、地面に降られた雨水やトンネル工事や土木工事等によって地中よりしみ出てくる地下水に泥が混入した泥水、或いは、下水、排水、汚濁の進んだ河川や湖沼の水や、ダムの底に溜まった汚濁した水等に、凝集剤を添加して汚濁物質を凝集させて、沈殿・分離することにより浄化する汚濁水処理装置に関するものである。
【背景技術】
【０００２】
従来、汚濁した水に微細な粉体状の凝集剤を添加して混合・分散しようとすると、微細な粉体である凝集剤は、ダマになり易く、簡単な攪拌操作だけでは微細な粉体状の凝集剤と汚濁した水とを十分に混合し難いとの性質を有している。
それ故、汚濁した水と粉体状の凝集剤とを十分に攪拌して混合して分散させる為に、モーター付きの攪拌翼により適度の時間で攪拌混合する必要があった。
その為に、下水等の汚濁した水に凝集剤を添加・混合して懸濁物質を凝集させ、沈殿・分離して浄化する為の汚水処理装置としては、一般的に、汚濁した水に凝集剤を添加してモーター付きの攪拌翼により攪拌混合する攪拌混合槽と、懸濁物質を凝集させてフロックを形成させるフロック形成槽と、フロックを静置することにより沈殿させる沈殿槽とから形成されているのが普通であった（例えば、特許文献１参照）。
【０００３】
また、凝集剤投入機と攪拌機を備えたフロック形成槽と、該フロックを静置することにより沈殿させる沈殿槽とを曲折したホースにより連結してサンドポンプによりその混合液を移送する汚濁処理装置も知られている（例えば、特許文献２参照）。
【０００４】
更に、原水槽に貯蔵される下水等の汚濁した水をポンプの動力によって緩速攪拌槽へ移送する際、その途中の配管内に無機凝集剤を注入する注入口と混合攪拌装置とを設けて無機凝集剤と混合させた後、緩速攪拌槽にて高分子凝集剤を注入して混合・攪拌した後、ポンプの動力によって凝集沈殿槽へ移送して静置することにより沈殿した凝集物を分離する汚濁処理システムも知られている（例えば、特許文献３参照）。
【０００５】
【特許文献１】特開平１０−２３５３９８号公報（第１〜２図）
【特許文献２】特開２０００−３１２８０５号公報（第１図）
【特許文献３】特開２００２−３０７０７１号公報（第１図）
【発明の開示】
【発明が解決しようとする課題】
【０００６】
しかし、上記汚水処理装置においては、凝集剤と攪拌混合する攪拌混合槽にはモーター付きの攪拌翼が必要であることから動力源が必要であるし、このような攪拌混合槽は大型で有るために混合が十分に行われ難く、必要以上の凝集剤を投入しなければならないので、凝集剤が大量に必要とする等の経済的な問題点もあった。
また、凝集剤投入機と攪拌機を備えたフロック形成槽と、沈殿槽とを曲折したホースで連結した汚濁処理装置においては、凝集剤と攪拌混合する攪拌混合槽の底部よりサンドポンプによりフロック分離槽の上方部分にまで移送していることから、その為の動力源が必要となるし、攪拌機を備えたフロック形成槽で十分に混合して形成したフロックを曲折したホースで移送しても混合効果には変わりがないとの問題点があった。
更に、原水槽に貯蔵される下水等の汚濁した水を緩速攪拌槽へ移送する際、その配管途中で無機凝集剤を注入したり、混合攪拌装置で混合攪拌した後、緩速攪拌槽で高分子凝集剤を注入し攪拌翼付きの混合機で攪拌混合させて、更に凝集沈殿槽に移送して静置・分離する濁水処理システムにおいては、無機凝集剤と高分子凝集剤の二種類の凝集剤を使用している為に、二種類の凝集剤を添加して攪拌翼付きの混合機で混合させてからでないと凝集沈殿槽に移送して静置・分離することができないことから、上記汚水処理装置と同様な効果を得ることができないとの問題点があった。
【課題を解決するための手段】
【０００７】
本発明者は、上記問題点に鑑みて鋭意研究を重ねた結果、少ない動力源で汚濁水と凝集剤との混合を十分に行い、他種類の凝集剤を多数回添加・混合しなくても、汚濁水に凝集剤を添加しながら、筒状体内で自然流下させて乱流を起こして混合すれば、従来の槽型攪拌混合装置と異なって、供給した汚濁水が不十分な混合のままで分離槽に移送される所謂ショートパスが生じることがないので、汚濁水と凝集剤とを短時間に十分に混合させることができるし、工業的には小型化することもできるとの知見に基づき本発明を完成するに至ったものである。
【０００８】
すなわち、本発明の汚濁水処理装置は、汚濁水に凝集剤を添加して混合することにより汚濁水中に懸濁している汚濁物質を凝集させる凝集剤添加・混合槽と、凝集した汚濁物質を沈降させて分離する汚濁物質分離槽とから構成されている汚濁水処理装置において、前記凝集剤添加・混合槽が、汚濁水の供給口及び凝集剤添加器及び凝集剤添加汚濁水の排出口を備えた凝集剤添加槽と、該凝集剤添加槽に流入口側が接続し、排出口側が凝集した汚濁物質を沈降させて分離する為の汚濁物質分離槽に接続して、該流入口より流入した凝集剤添加汚濁水が自然流下する為の傾斜を有していると共に、曲折していることによって乱流を生じさせる構造とした筒状混合槽とから構成されていること、を特徴とするものである。
【発明の効果】
【０００９】
このような本発明の汚濁水処理装置は、汚濁水に凝集剤を添加しながら、筒状体内で自然流下させて乱流を起こして筒状混合体内の空気の泡によって攪拌混合されるので、従来の槽型攪拌混合槽と異なり、供給した汚濁水が不十分な混合のまま分離槽に移送される所謂ショートパスが生じることがなく、汚濁水と凝集剤とを短時間に十分に混合させることができる。
また、その流量を調節するためにレベルの異なる排出口を備えた汚濁水分配器を設けることにより、順次、汚濁水と凝集剤とを乱流が生じる一定した流量で流すことができるので、混合が不十分となることはない。
更に、汚濁水と凝集剤との混合を筒状混合体内で自然流下させて乱流を起こして混合させているので、その為の攪拌を起こすための動力源を必要とせずに、少ない動力源で作動させることができるし、他種類の凝集剤を多数回添加・混合しなくてもよいとの利点がある。
【発明を実施するための最良の形態】
【００１０】
[Ｉ]  原材料
(1)  汚濁水
本発明の汚濁水処理装置１にて用いられる汚濁水２としては、地面に降られた雨水やトンネル工事や土木工事等によって地中よりしみ出てくる地下水に泥が混入した泥水、或いは、下水、排水、汚濁の進んだ河川や湖沼の水や、ダムの底に溜まった汚濁した水等であり、水中に無機粒子や有機物粒子等の微細粒子が分散しているものであればどのようなものでも適用できる。
これら汚濁水の中でも、地面に降られた雨水やトンネル工事や土木工事等によって地中よりしみ出てくる地下水に泥が混入した泥水、或いは、下水や、ダムの底に溜まった汚濁した水等を処理するのに適しており、特に、地面に降られた雨水やトンネル工事や土木工事によって地中よりしみ出てくる地下水に泥が混入した泥水を処理するのに最適な装置１である。
【００１１】
(2)  凝集剤
本発明の汚濁水処理装置１にて用いられる凝集剤３としては、汚濁水中にコロイド状に分散している粒子を凝結させて沈殿させることができる無機凝集剤、高分子凝集剤等として知られている公知の凝集剤３を用いることができる。
無機凝集剤
上記無機凝集剤としては、ゼオライト系凝集剤、硫酸バン土、ＰＡＣ等のアルミニウム塩、或いは、塩化第二鉄、ポリ鉄等の鉄塩等の無機系凝集剤を挙げることができる。
高分子凝集剤
上記高分子凝集剤としては、カチオン性の高分子凝集剤、アニオン性の高分子凝集剤、ノニオン性の高分子凝集剤、両性タイプの高分子凝集剤のいずれのものも使用することができる。
具体的には、カチオン性の高分子凝集剤として、ジメチルアミノエチルメタクリレート系、ジメチルアミノエチルアクリレート系、ポリアクリルアミド系等のアクリル酸ポリマー無機塩、及び、キトサン、ポリビニルアミジン等があり、アニオン性高分子凝集剤や、ノニオン性高分子凝集剤としては、ポリアクリル酸エステル系ポリマー等があり、両性の高分子凝集剤としてアクリル酸ポリマー無機塩等を挙げることができる。
これら各種凝集剤の中でも、アニオン性高分子凝集剤やノニオン性高分子凝集剤やゼオライト系凝集剤、を用いることが好ましいが、特にゼオライト系凝集剤、を用いることが好ましい。
【００１２】
[II]  汚濁水処理装置
本発明の汚濁水処理装置１は、その一実施例として示す図１〜図７のように、汚濁水２に凝集剤３を添加する凝集剤添加槽４と、汚濁水中に懸濁している汚濁物質と凝集剤を混合して凝集させる筒状混合槽５とから構成される凝集剤添加・混合槽６と、凝集した汚濁物質を沈降させて分離する汚濁物質分離槽７とから基本的に構成されている。
【００１３】
上記図１は本発明の汚濁水処理装置１の一実施例で、特に、螺旋状筒状体１１を上段及び下段の二段とし、上段の螺旋状筒状体１１を二列に形成して、その上流側に凝集剤添加槽４及び汚濁水分配器１３を設けた汚濁水処理装置１の一部切り欠き正面図であり、図２は図１のＡ−Ａ線断面の汚濁水処理装置１の右側面図であり、図３は図１の汚濁水処理装置１の上部の凝集剤添加槽４及び上段螺旋状筒状体１１の平面図であり、図４は図１の汚濁水処理装置１の螺旋状筒状体１１及び均一混合槽１２付近のＢ−Ｂ線断面図であり、図５は図１の汚濁水処理装置１の中間部の均一混合槽１２及び下段螺旋状筒状体１１付近のＣ−Ｃ線断面図であり、図６は図１の汚濁水処理装置１の下段螺旋状筒状体１１の最下部付近のＤ−Ｄ線断面図であり、図７は図１の汚濁水処理装置１の汚濁物質分離槽７付近のＥ−Ｅ線断面図である。
【００１４】
(1)  凝集剤添加・混合槽
本発明の汚濁水処理装置１を構成する凝集剤添加・混合槽６としては、図１の正面図及び図２の右側面断面図及び図３の上部平面図に示すように、汚濁水の供給口４ａ，４ａ’、凝集剤添加器具４ｂ，４ｂ’、及び、凝集剤添加汚濁水の排出口４ｃ，４ｃ’を備えた凝集剤添加槽４と、流入口５ａ、排出口５ｂ、自然流下する為の傾斜θを有していて、その長さＬが直径Ｄに対して１０倍以上の筒状体８であり、凝集剤添加汚濁水９の流下速度が乱流を生じさせる構造とした筒状混合槽５とから構成されている。
【００１５】
(A)   凝集剤添加槽
(a)  汚濁水供給口
上記汚濁水供給口４ａ，４ａ’としては、汚濁水２を凝集剤添加槽４に供給するための供給口である。
(b)  凝集剤添加器
上記凝集剤添加器４ｂ，４ｂ’としては、粉体状の凝集剤３を添加するための器具であり、一般に、粉体である凝集剤３を一定流量で供給するためのスクリュー回転式のフィーダーが装着されているものが用いられる。
(c)  凝集剤添加汚濁水の排出口
上記凝集剤添加汚濁水９の排出口４ｃ，４ｃ’としては、汚濁水２に凝集剤３を添加した凝集剤添加汚濁水９を筒状混合槽５に排出するための口である。
【００１６】
(B)   筒状混合槽
(a)  流入口
上記筒状混合槽５の流入口５ａは、凝集剤添加槽４に接続しており、凝集剤３が混入された汚濁水２が供給される口である。
(b)  排出口
上記筒状混合槽５の排出口５ｂは、凝集した汚濁物質を沈降させて分離する為の汚濁物質分離槽７と接続している口である。
【００１７】
(c)  形  状
筒状混合槽５の本体である筒状体８の形状としては、図１及び図２に示すように、凝集剤３が添加された汚濁水２の自然流下速度が乱流を生じさせる形状としたものである。
(i)  長  さ
筒状体８の長さＬは、自然流下する際に加速度によって乱流が生じ易く十分に混合されるように、直径Ｄに対して１０倍以上、好ましくは３０〜５００倍、特に好ましくは３０〜３００倍の長さＬを備えるもので、コンパクト化するために曲折されているのが普通である。
筒状体８の長さＬが短すぎると混合が不十分となり、凝集剤３の添加量を多くする必要があるので不経済である。また、筒状体８の長さが長すぎると混合を十分に行うことができるが、装置費が多く必要とするし、圧損失が大きなって処理能力を高めることができないので、経済的に不利である。
【００１８】
(ii)  傾  斜
筒状体８は、流入口５ａより流入した凝集剤添加汚濁水９が排出口５ｂより排出されるまでに、図１及び図２に示すように、自然に流下する為の傾斜θを有していることが必要である。
その傾斜θの角度は、一般に０．５〜３０度、好ましくは１〜１０度、特に好ましくは２〜５度のものである。
傾斜角度θが小さすぎると凝集剤添加汚濁水９の流速が遅くなりすぎて、混合され難くなったり、処理能力が低下するので経済的に不利になる。また、傾斜角度θが大きすぎると処理能力は増すが、装置全体の高さが大きくなりすぎるので、装置を支える架台１０も大型化するので経済的に不利になる。
【００１９】
(iii)  流速を変化させる構造
上記筒状体８内を真っ直ぐ流れるだけでは乱流が生じ難く、汚濁水２と凝集剤３とが混合され難いので、筒状体８内で乱流を生じさせる為には、筒状体８の形状が、直状部分８ａと曲折する部分８ｂとを組み合わせた構造として、流れの速度を変化させることにより十分に混合させることができる。
曲  折
筒状混合槽５が、筒状体８を傾斜しながら所々曲折させて、直状部分８ａと曲折する部分８ｂとを組み合わせた構造としながら略渦巻き状に形成して、図１〜６に示すような、螺旋状筒状体１１として形成されていることが好ましい。
【００２０】
(2)  多段階筒状混合槽
(A)   複数段筒状体
上記筒状混合槽５は、図１及び図２に示すように、筒状体８を直列に複数個連結して、それら筒状体８の連結部分に均一混合槽１２を形成することによって、筒状体８を複数段として形成した筒状混合槽５とすることが好ましい。
筒状体８を多数の段に形成することもできるが、好ましくは２〜５段に、特に好ましくは２〜３段に形成することが好ましい。
このような複数段の筒状体８に形成することにより、以下に述べる様な、上段側の筒状体８を平行して複数列に設置することができるようになるので、処理能力を高めることができる。
【００２１】
(B)   複数列筒状体
上記複数段の筒状体８は、図１及び図３に示すように、上段側の筒状体８を平行に複数列に設置して、この各筒状体８の上流側にそれぞれ凝集剤添加槽４を設置することにより、凝集剤添加槽４及び筒状混合槽５の組み合わせを一つの単位の列とする複数列の凝集剤添加・混合槽６を設置することが好ましい。
上記凝集剤添加槽４及び筒状混合槽５の組み合わせからなる凝集剤添加・混合槽６の列は、多くの列にて実施することもできるが、一般に２列〜４列にて実施されるのが好ましい。
筒状混合槽５におけるそれぞれの最上流の螺旋状筒状体１１の前にはそれぞれ凝集剤添加槽４が設置される。
上流側の筒状体８を複数列平行に設置し、下流側の筒状体８を少ない列で設置することが好ましい。
直列に連結した複数個の筒状体８において、上流側の筒状体８の断面積よりも下流側の筒状体８の総断面積を大きく形成することが好ましい。
このように下流側の筒状体８の総断面積を大きく形成することにより、上流側の筒状体８を流れてきた液体が下流側の筒状体８内を満水にしてしまうことがなく、良好な攪拌混合を行うことができる。
それ故、上流側の筒状体８を流れてきた液体が下流側の筒状体８内を満水にしてしまうと下流側の筒状体８内に存在している空気の泡によって攪拌混合することを著しく低下させてしまう。
【００２２】
(C)   均一混合槽
上記上流側の筒状体８を複数列平行に設置し、下流側の筒状体８を少ない列で設置する場合には上流側の筒状体８と下流側の筒状体８との間に均一混合槽１２を設けることが好ましい。
この均一混合槽１２を設けることにより凝集剤添加汚濁水９の混合を助けて、時間的な混合の差異や上流側の筒状体８の列による混合の差異を均一化することができる。
【００２３】
(D)   汚濁水分配器
上記凝集剤添加槽４及び筒状混合槽５の組み合わせを一つの単位とする列を複数列設置する場合には、図１及び図３に示すように、レベルの異なる複数個の汚濁水排出口１３ａ，１３ｂが備えられた汚濁水分配器１３を設置することにより、該凝集剤添加槽４の汚濁水供給口４ａに供給される汚濁水２が、汚濁水供給口４ａより供給された汚濁水２のレベルの高さにより使用される汚濁水排出口１３ａ，１３ｂの数が変化して凝集剤添加槽４の汚濁水供給口４ａに供給される汚濁水２の量が調節されることによりその流量を調節することができる。
凝集剤添加槽４と筒状混合槽５とを直列に連結して形成してなる複数列からなる凝集剤添加・混合槽６において、該凝集剤添加・混合槽６の凝集剤添加槽４の汚濁水供給口４ａに供給される汚濁水２が、レベルの異なる複数個の汚濁水排出口１３ａ，１３ｂを備えた汚濁水分配器１３によって分配されることが好ましい。
また、汚濁水分配器１３によって分配されて供給される汚濁水排出口１３ａ，１３ｂの断面積が、その下流側の筒状混合槽５の断面積よりも小さく形成されていることが好ましい。
更に、汚濁水分配器１３内の汚濁水２の液面の高さによって凝集剤添加槽４の複数列の凝集剤添加槽４及び筒状混合槽５に供給する凝集剤３の添加量を調節することが好ましい。
【００２４】
[III]  汚濁物質分離槽
(1)  形  状
上記汚濁物質分離槽７は、図１及び図２及び図７に示すように、汚濁水２中に分散されていた汚濁物質１４を凝集させることにより汚濁物質１４の粒子を巨大化して、その重さにより沈降させて分離する為に、上記筒状混合槽５により混合された凝集剤添加汚濁水９の流れの速度を減速するように、汚濁物質分離槽７は大口径の筒状体容器となっている。
その筒状混合槽５の排出口５ｂが該汚濁物質分離槽７内に設置された円筒状の隔壁１５の接線方向にて接するように形成されているので、筒状混合槽５の排出口５ｂから排出される凝集剤添加汚濁水９は、汚濁物質分離槽７の隔壁１５に沿ってゆったりとした回転する流れとなる。
それ故、凝集された汚濁物質１４の粒子には遠心力が働くと共に、その比重によって沈降して、汚濁物質分離槽７の底部７ｂには汚濁物質１４の粒子が蓄積される。
汚濁物質１４が除去された水は汚濁物質分離槽７の内壁７ａに沿って回転しながら、その外周部分の上部に形成された排出口７ｃより外部に排出される。
また、汚濁物質分離槽７の底部７ｂに蓄積された汚濁物質１４の粒子は、底部７ｂに設けられた汚濁物質排出バルブ１６より排出される。
これら凝集剤添加槽４及び筒状混合槽５とからなる凝集剤添加・混合槽６と、汚濁物質分離槽７とから基本的に構成されている本発明の汚濁水処理装置１は、自然落下によって混合するため適度な高さが必要で、これら凝集剤添加槽４及び筒状混合槽５とからなる凝集剤添加・混合槽６や汚濁物質分離槽７は図１及び図２に示すように架台１０によって支えられている。
【実施例】
【００２５】
以下に示す実施例及び比較例によって、本発明を更に具体的に説明する。
[I] 評価方法
(1)  濁土数
濁土数は笠原理化工業（株）製濁土センサー「ＴＲ−３０」によって測定した。
【００２６】
[II]  実施例
実施例１〜５
有限会社ソービック製カオリン「Ｔ−２４」（原産地：大韓民国）を表１に示す濁土数が１，０００〜２０，０００ｐｐｍに調整した、水温が２１℃の、流量が８０リットル／分の濁水に、凝集剤として日本技建（株）製無機系凝集剤「アイケイフロック」Ｔ−Ｏ−１（オンリーワン）を表１に示す添加速度で添加し、全体の高さが約３．７ｍの、図１〜７に示すような、最上流側の部分に高さの異なる二つの汚濁水排出口１３ａ，１３ｂを備えた汚濁水分配器１３及び汚濁水の供給口４ａ、凝集剤添加器具４ｂを備えた凝集剤添加槽４（内容量０．００４３〜０．００８６ｍ３）を備え、中間部分に該凝集剤添加槽４に流入口側が接続して、該流入口より流入した凝集剤添加汚濁水９を内径が４０ｍｍ、長さが５，３６０ｍｍの筒状体８をほぼ直角に曲折させて略長四角状に、且つ、該筒状体８の凝集剤添加汚濁水９が自然流下する様に３度の傾斜を付けて渦巻き状に６回転させて螺旋状に形成した筒状体８（内容量０．００６ｍ３）と、該筒状体８に隣接して、同様の形状に形成した筒状体８’（内容量０．００６ｍ３）との二列からなる第１段目の筒状体８と、該第１段目の筒状体８より流出する凝集剤添加汚濁水９を集合させて均一に混合する均一混合槽１２（内容量０．０３２ｍ３）と、該均一混合槽１２より流出して、再度、内径が６５ｍｍ、長さが７，０４０ｍｍの筒状体８をほぼ直角に曲折させて略正四角に形成し、且つ、該筒状体８内の凝集剤添加汚濁水９が自然流下する様に３度の傾斜を付けて渦巻き状に６回転させて螺旋状に形成した第２段目の筒状体８（内容量０．０２３ｍ３）とから構成されており、供給される凝集剤添加汚濁水９が乱流を生じさせる構造とした筒状混合槽５と、装置１の下側部分に該筒状混合槽５の排出口５ｂ側に、凝集した汚濁物質１４を沈降させて分離する内径１０００ｍｍ、高さ１２００ｍｍの汚濁物質分離槽７（内容量が１．１８ｍ３）を備えた汚濁水処理装置１を用いて、表１に示す条件下で処理することにより１０分後に表１に示すような０．３９〜８．０２ｋｇの量の汚濁物質１４を回収・分離することにより濁度数が９．５〜１１．７ｐｐｍの処理液を得た。
【００２７】
実施例６〜１０ 
実施例１〜５にて用いた濁水の流量を表１に示す流量に変更すると共に、凝集剤３の添加速度も表１に示す添加速度に変更し、更に、筒状混合槽５の第１段目の筒状体８を１列のみにて実施した以外は、実施例１〜５に記載される方法と同様に行った。
その結果を表１に示す。
【００２８】
実施例１１〜１３ 
実施例９にて用いた濁水の水温を表１に示す水温の濁水に変更して、凝集剤３の添加速度も表１に示す添加速度に変更した以外は、実施例９に記載される方法と同様に行った。
その結果を表１に示す。
【００２９】
実施例１４〜１７
実施例６〜１０にて用いた濁水を、新潟県十日町市の濁度数２５０〜３００ｐｐｍの下水に変更して、表１に示すような条件下で汚濁水を処理した。
その結果を表１に示す。
【００３０】
【表１】
2005305271.tif 000003
【産業上の利用可能性】
【００３１】
本発明の汚濁水処理装置は、筒状体内で自然流下させて乱流を起こして、筒状体内の空気の泡によって攪拌混合されるので、従来の槽型攪拌混合槽と異なり、攪拌を起こすための動力源を必要とせずに、少ない動力源で作動させることができるし、供給した汚濁水が不十分な混合のまま分離槽に移送される所謂ショートパスが生じることがなく、汚濁水と凝集剤とを短時間に十分に混合させることができる。
また、その流量を調節するためにレベルの異なる排出口を備えた分配器を設けることにより、順次、汚濁水と凝集剤とを乱流が生じる一定した流量で流すことができるので、混合が不十分となることはない等の利点を備えているので、工業的に優れたものである。
【図面の簡単な説明】
【００３２】
【図１】図１は、本発明実施例の汚濁水処理装置の一部切り欠き正面図である。
【図２】図２は、本発明実施例の汚濁水処理装置のＡ−Ａ線断面図である。
【図３】図３は、図１の汚濁水処理装置の上部の凝集剤添加槽及び上段螺旋状筒状体の平面図である。
【図４】図４は、図１の汚濁水処理装置の螺旋状筒状体及び均一混合槽付近のＢ−Ｂ線断面図である。
【図５】図５は、図１の汚濁水処理装置中間部の均一混合槽及び下段螺旋状筒状体付近のＣ−Ｃ線断面図である。
【図６】図６は、図１の汚濁水処理装置の下段螺旋状筒状体最下部付近のＤ−Ｄ線断面図である。
【図７】図７は、図１の汚濁水処理装置の汚濁物質分離槽付近のＥ−Ｅ線断面図である。
【符号の説明】
【００３３】
１  汚濁水処理装置
２  汚濁水
３  凝集剤
４  凝集剤添加槽
４ａ  汚濁水供給口
４ｂ  凝集剤添加器具
４ｃ  汚濁水排出口
５  筒状混合槽
５ａ  流入口
５ｂ  排出口
６  凝集剤添加・混合槽
７  汚濁物質分離槽
７ａ  内壁
７ｂ  底部
７ｃ  排出口
８  筒状体
８ａ  直状部分
８ｂ  曲折する部分
９  凝集剤添加汚濁水
１０  架台
１１  螺旋状筒状体
１２  均一混合槽
１３  汚濁水分配器
１３ａ，１３ｂ  汚濁水排出口
１３ｃ  汚濁水供給口
１４  汚濁物質
１５  隔壁
１６  汚濁物質排出バルブ
θ  傾斜
Ｌ  長さ
Ｄ  直径
【図１】
2005305271.tif 000004
【図２】
2005305271.tif 000005
【図３】
2005305271.tif 000006
【図４】
2005305271.tif 000007
【図５】
2005305271.tif 000008
【図６】
2005305271.tif 000009
【図７】
2005305271.tif 000010